(57)【特許請求の範囲】
【請求項１】
認知機能の支援対象である対象者について、予定した行動の種類および日時を含む複数の行動予定情報を受け取る第１入力部を備えた第１装置と、
前記第１装置とは別に設けられ前記対象者に関係付けてあり、前記複数の行動予定情報のうち選択された行動予定情報が通知される第２装置と、
日時を計時する時計部と、
前記第１入力部が受け取った前記複数の行動予定情報を記憶する記憶部と、
選択部とを備え、
前記第２装置は、
前記複数の行動予定情報のうち特定の行動予定情報について通知の要求を行う第２入力部と、
前記第２入力部からの要求に応答して通知された前記特定の行動予定情報が提示される提示部とを備え、
前記選択部は、前記記憶部が記憶している前記複数の行動予定情報のうち、前記第２入力部からの要求に対して前記特定の行動予定情報を選択し、
前記特定の行動予定情報は、前記第２入力部からの要求があった日時の後、かつ最初の行動予定情報である
ことを特徴とする認知機能支援システム。
【請求項２】
前記第１入力部は、前記複数の行動予定情報に含まれる行動を前記対象者が終了するたびに行動完了情報を受け取る機能を有し、
前記記憶部は、前記第１入力部が受け取った前記行動完了情報を記憶する機能を有し、
前記第２入力部は、特定の行動完了情報について通知の要求を行う機能を有し、
前記選択部は、前記第２入力部の要求に応答して前記特定の行動完了情報を前記記憶部が記憶している前記行動完了情報から選択する機能を有し、
前記提示部は、前記第２入力部からの要求に応答して通知された前記特定の行動完了情報が提示される機能を有しており、
前記特定の行動完了情報は、前記第２入力部からの要求があった日時の前、かつ最新の行動完了情報である
請求項１記載の認知機能支援システム。
【請求項３】
前記第２装置が存在する場所を認識する位置認識部をさらに備え、
前記第２入力部は、前記位置認識部が認識している場所について提示の要求を行う機能を有し、
前記提示部は、前記第２入力部から要求があった前記場所を提示する機能を有している
請求項１又は２に記載の認知機能支援システム。
【請求項４】
前記第２入力部は、前記対象者が前記場所に居る理由の説明情報について要求を行う機能を有しており、
前記提示部は、前記第２入力部から要求があった前記説明情報を提示する機能を有している
請求項３記載の認知機能支援システム。
【請求項５】
前記第２入力部からの要求の履歴に基づいて前記対象者の認知機能の状態を判断する判断部をさらに備える
請求項１〜４のいずれか１項に記載の認知機能支援システム。
【請求項６】
認知機能の支援対象である対象者について、予定した行動の種類および日時を含む複数
の行動予定情報を受け取る第１入力部を備えた第１装置、および前記第１装置とは別に設けられ前記対象者に関係付けてあり、前記複数の行動予定情報のうち選択された行動予定情報が通知される第２装置との間で通信する認知機能支援装置であって、
前記第２装置は、前記複数の行動予定情報のうちの特定の行動予定情報を要求する第２入力部と、前記第２入力部からの要求に応答して通知された前記特定の行動予定情報が提示される提示部とを備えており、
前記認知機能支援装置は、
日時を計時する時計部と、
前記第１入力部が受け取った前記複数の行動予定情報を記憶する記憶部と、
前記記憶部が記憶している前記複数の行動予定情報のうち、前記第２入力部が要求した前記特定の行動予定情報を選択する選択部と備え、
前記特定の行動予定情報は、前記第２入力部が要求した日時の後、かつ最初の行動予定情報である
ことを特徴とする認知機能支援装置。
【請求項７】
コンピュータを、
請求項６記載の認知機能支援装置として機能させるためのプログラム。
【発明の詳細な説明】
【技術分野】
【０００１】
本発明は、認知機能を補助する認知機能支援システム、認知機能支援装置、プログラムに関する。
【背景技術】
【０００２】
従来、相対時刻を基準としてスケジュールを表示する習慣化訓練機能と、絶対時刻を基準としてスケジュールを時系列に表示する代償手段獲得訓練機能とを備えた認知機能障害者用支援装置が提案されている（たとえば、特許文献１参照）。特許文献１には、指導者などがコンピュータにスケジュールデータを入力し、認知機能障害者が携帯する携帯情報端末にスケジュールを表示する構成が記載されている。
【０００３】
また、薬の飲み忘れ防止のために、設定スケジュールの実行時刻に到達したときに報知する高齢者支援機能の技術が提案されている（たとえば、特許文献２参照）。特許文献２には、薬箱が開閉センサを備え、高齢者である患者の服薬動作を確認する構成が記載されている。
【先行技術文献】
【特許文献】
【０００４】
【特許文献１】特開２００５−２５８９９５号公報
【特許文献２】特開２０１２−６６０４０号公報
【発明の概要】
【発明が解決しようとする課題】
【０００５】
特許文献１に記載された技術は、認知障害者に日常生活で計画している予定を示すことによって、認知機能障害者の日常生活を支援するように構成されている。ただし、引用文献１では、認知機能障害者が記憶しているスケジュールであっても携帯情報端末に表示される構成が採用されている。また、引用文献１に記載された構成では、計画した予定を実施したか否かを携帯情報端末に入力するように構成されている。
【０００６】
引用文献２に記載された構成では、患者が服薬したことを開閉センサで検出しているから、服薬動作を確認することはできるが、この技術を生活上での行動全般に適用することはできない。
【０００７】
本発明は、認知機能の支援対象である対象者の認知機能に応じた情報を提示することを可能にした認知機能支援システムを提供することを目的とする。また、本発明は、この認知機能支援システムを構成する認知機能支援装置、およびコンピュータを認知機能支援装置として機能させるためのプログラムを提供することを目的とする。
【課題を解決するための手段】
【０００８】
本発明に係る認知機能支援システムは、認知機能の支援対象である対象者について、予定した行動の種類および日時を含む複数の行動予定情報を受け取る第１入力部を備えた第１装置と、前記第１装置とは別に設けられ前記対象者に関係付けてあり、前記複数の行動予定情報のうち選択された行動予定情報が通知される第２装置と、日時を計時する時計部と、前記第１入力部が受け取った前記複数の行動予定情報を記憶する記憶部と、選択部とを備え、前記第２装置は、前記複数の行動予定情報のうち特定の行動予定情報について通知の要求を行う第２入力部と、前記第２入力部からの要求に応答して通知された前記特定の行動予定情報が提示される提示部とを備え、前記選択部は、前記記憶部が記憶している前記複数の行動予定情報のうち、前記第２入力部からの要求に対して前記特定の行動予定情報を選択し、前記特定の行動予定情報は、前記第２入力部からの要求があった日時の後、かつ最初の行動予定情報であることを特徴とする。
【０００９】
本発明に係る認知機能支援装置は、認知機能の支援対象である対象者について、予定した行動の種類および日時を含む複数の行動予定情報を受け取る第１入力部を備えた第１装置、および前記第１装置とは別に設けられ前記対象者に関係付けてあり、前記複数の行動予定情報のうち選択された行動予定情報が通知される第２装置との間で通信する認知機能支援装置であって、前記第２装置は、前記複数の行動予定情報のうちの特定の行動予定情報を要求する第２入力部と、前記第２入力部からの要求に応答して通知された前記特定の行動予定情報が提示される提示部とを備えており、前記認知機能支援装置は、日時を計時する時計部と、前記第１入力部が受け取った前記複数の行動予定情報を記憶する記憶部と、前記記憶部が記憶している前記複数の行動予定情報のうち、前記第２入力部が要求した前記特定の行動予定情報を選択する選択部と備え、前記特定の行動予定情報は、前記第２入力部が要求した日時の後、かつ最初の行動予定情報であることを特徴とする。
【００１０】
本発明に係るプログラムは、コンピュータを、上述した認知機能支援装置として機能させる。
【発明の効果】
【００１１】
本発明の構成によれば、認知機能の支援対象である対象者の認知機能に応じた情報を提示することが可能になるという利点がある。
【図面の簡単な説明】
【００１２】
【図１】実施形態を示すブロック図である。
【図２】図２Ａは実施形態における初期画面を示す図、図２Ｂは実施形態における操作画面を示す図である。
【図３】実施形態におけるメニュー画面を示す図である。
【図４】図４Ａは実施形態における操作画面の一例を示す図、図４Ｂは実施形態における操作画面の他例を示す図である。
【図５】実施形態における説明画面の一例を示す図である。
【図６】実施形態における説明画面の他の例を示す図である。
【図７】実施形態における説明画面のさらに他の例を示す図である。
【図８】実施形態における説明画面の別の例を示す図である。
【図９】実施形態における第１装置の画面の一例を示す図である。
【図１０】実施形態における第１装置の画面の他の例を示す図である。
【図１１】実施形態における第１装置の画面のさらに他の例を示す図である。
【図１２】実施形態における第１装置の画面の別の例を示す図である。
【図１３】実施形態における第１装置の画面のさらに別の例を示す図である。
【発明を実施するための形態】
【００１３】
本実施形態の認知機能支援システムは、認知機能が低下した対象者と、この対象者の生活を支援する介護者とを使用者に含む。対象者は、認知症である人あるいは軽度認知障害である人のように継続的または一時的に認知機能が低下している人である。また、本実施形態の認知機能支援システムは介護施設で使用することを想定しているが、対象者が自宅で使用することも可能である。したがって、介護者は、介護施設における介護者あるいは対象者の自宅に訪問する介護者などである。以下に説明する構成例では、対象者が介護施設の入居者であり、介護者は介護施設において対象者の担当である場合を想定して説明する。ただし、この条件は一例であり、本実施形態の技術は、対象者が自宅で生活している場合、対象者がデイケアサービスを受けている場合など、様々な条件において使用することが可能である。
【００１４】
図１に示すように、認知機能支援システム１０は、介護者が操作する第１装置１１と、対象者が操作する第２装置１２とを備える。第１装置１１および第２装置１２は、認知機能支援システム１０に１台以上含まれていればよいが、第２装置１２は、多くの場合、認知機能支援システム１０に複数台含まれる。
【００１５】
第１装置１１は入力部１１１および提示部１１２を備え、第２装置１２は入力部１２１および提示部１２２を備える。入力部１１１、１２１は使用者が操作し、提示部１１２、１２２は使用者に情報を提示する。入力部１１１、１２１は、キーボード、マウス、タッチパネルなどから選択される。また、本実施形態では、提示部１１２、１２２は、視覚的に情報を提示する表示器を想定しているが、聴覚的に情報を提示するスピーカを用いると、視覚障害者に対しても情報を提示することが可能である。
【００１６】
本実施形態の認知機能支援システム１０は、クライアントサーバシステムを構築する。図１に示す構成例では、第１装置１１および第２装置１２がクライアントであり、他にサーバ１３を備えている。すなわち、第１装置１１および第２装置１２は端末装置である。したがって、サーバ１３は第１装置１１および第２装置１２と通信する。
【００１７】
サーバ１３は、１台のコンピュータで構成されるか、相互に通信可能な複数台のコンピュータで構成される。あるいは、サーバ１３は、クラウドコンピューティングにより実現されてもよい。また、認知機能支援システム１０は、第１装置１１とサーバ１３とがハードウェアを共用する構成であってもよい。なお、認知機能支援システム１０は、クライアントサーバシステムを構築せずに、第１装置１１と第２装置１２とが直接通信することにより情報を交換する構成であってもよい。本実施形態の構成例では、サーバ１３が認知機能支援装置として機能する。
【００１８】
第１装置１１は、主として介護者が使用する装置であって、パーソナルコンピュータを用いて実現される。すなわち、パーソナルコンピュータが、認知機能支援システム１０のためのアプリケーションプログラムを実行することによって、第１装置１１として機能する。第１装置１１の提示部１１２はモニタ装置であり、第１装置１１の入力部１１１はキーボード、マウスなどである。
【００１９】
第１装置１１は、パーソナルコンピュータに代えてタブレット端末あるいはスマートフォンを用いて実現してもよい。タブレット端末あるいはスマートフォンは、パーソナルコンピュータと同様に、プログラムに従って動作するプロセッサを備えている。そのため、認知機能支援システム１０のためのアプリケーションプログラム（いわゆる、アプリ）を実行することによって第１装置１１として機能させることが可能である。第１装置１１がタブレット端末あるいはスマートフォンである場合、提示部１１２は表示器であり、入力部１１１はタッチパネルである。
【００２０】
第２装置１２は、対象者に関係付けられる装置であって、対象者が携行できるように無線通信が可能な端末装置を構成することが望ましい。第２装置１２を構成するハードウェアには、たとえばスマートフォンが用いられる。すなわち、スマートフォンが認知機能支援システム１０のためのアプリケーションプログラム（いわゆる、アプリ）を実行することにより、スマートフォンを第２装置１２として機能させることが可能である。この場合、第２装置１２の提示部１２２はスマートフォンの表示器であり、第２装置１２の入力部１２１はスマートフォンのタッチパネルである。第２装置１２は、携帯電話機、タブレット端末、携帯型ゲーム機などから選択される装置を用いて実現してもよい。
【００２１】
第１装置１１および第２装置１２は、パーソナルコンピュータ、スマートフォンのような汎用の装置ではなく、認知機能支援システム１０のための専用の装置であってもよい。また、第２装置１２は、必ずしも対象者が携行する構成である必要はなく、対象者が部屋あるいはベッドで使用する構成であってもよい。この場合、第２装置１２は、無線通信ではなく有線通信を行う構成であってもよい。
【００２２】
本実施形態の認知機能支援システム１０は、サーバ１３を備えているから、複数台の第１装置１１を用いることが可能である。複数台の第１装置１１を必要としなければ、認知機能支援システム１０は、第１装置１１をサーバ１３の一部の構成とし、第２装置１２をクライアントとする構成であってもよい。
【００２３】
本実施形態では、第１装置１１がパーソナルコンピュータであり、第２装置１２がスマートフォンである認知機能支援システム１０を例として示す。第１装置１１および第２装置１２は、インターネット、移動体電話網のような電気通信回線を通してサーバ１３と通信する。第１装置１１は、キーボード、マウス、トラックパッド、タッチパネルなどから選択される入力部（第１入力部）１１１を備え、モニタ装置を提示部１１２とする。一方、第２装置１２は、タッチパネルを入力部（第２入力部）１２１とし、表示器を提示部１１２とする。提示部１１２となる表示器は、たとえば、液晶表示器あるいはＯＬＥＤ表示器（OLED：Organic Light Emitting Diode）が用いられている。
【００２４】
ところで、本実施形態の認知機能支援システム１０は、位置認識部１２３を備える。位置認識部１２３は、以下の３機能を有している。すなわち、位置認識部１２３は、第２装置１２が存在する地理的位置を認識する第１の機能と、地理的位置を場所名に関連付けて記憶する第２の機能とを有する。また、位置認識部１２３は、第１の機能で認識した地理的位置が記憶している地理的位置であるときに、第２の機能で記憶している場所名を抽出する第３の機能を有する。要するに、位置認識部１２３は、第２装置１２の地理的位置を認識し、認識した地理的位置が記憶している地理的位置である場合に、該当する地理的位置の場所名を認識する。ここに、地理的位置の情報は、たとえば緯度および経度で表される地球上の位置の情報であり、海抜のような高度の情報を含んでいることが望ましい。
【００２５】
地理的位置の認識は、スマートフォンが内蔵するＧＰＳ端末（GPS：Global Positioning System）のような測位装置が行う。また、無線ＬＡＮ（Local Area Network）あるいはＢＬＥ（Bluetooth Low Energy）などの技術を用いて第２装置１２の地理的位置を認識することも可能である(Bluetoothは登録商標）。すなわち、ＧＰＳのような測位装置を用いない場合、第２装置１２で受信可能な電波を発信する装置（たとえば、無線ＬＡＮのアクセスポイント、ＢＬＥの発信器）との相対位置によって第２装置１２が地理的位置を認識することが可能である。
【００２６】
ただし、位置認識部１２３は、地理的位置を認識することが目的ではなく、第２装置１２が存在する場所の場所名を抽出することができればよい。また、後者の技術において電波を発信する装置から第２装置１２への電波の到達距離は、１００ｍを超えることはまれであり、通常は１０〜２０ｍ程度が上限である。そのため、後者の技術を用いる場合、電波を発信する装置の地理的位置によって第２装置１２の地理的位置を認識する代わりに、電波を発信する装置の識別情報（たとえば、アドレスデータ）から場所名を認識してもよい。あるいは、電波を発信する装置から第２装置１２に送信する情報に場所名を含めておき、第２装置１２が場所名を認識する構成を採用してもよい。
【００２７】
なお、第２装置１２が、加速度センサ、ジャイロセンサ、地磁気センサなどから選択されるセンサを備えている場合、これらのセンサが検出した情報を、地理的位置を認識するための補助に用いてもよい。本実施形態の認知機能支援システム１０では、第２装置１２が位置認識部１２３を備えているが、第２装置１２の位置を認識する必要がなければ、位置認識部１２３を省略することが可能である。
【００２８】
図１に示す構成例では、第２装置１２が、位置認識部１２３のすべての機能を備えている。この場合、第２装置１２の位置認識部１２３が、地理的位置に対応する場所名を記憶している必要がある。この構成では、場所名を抽出する際に、第２装置１２とサーバ１３との通信が発生しないから、地理的位置を認識してから場所名を抽出するまでの応答性がよいという利点がある。また、対象者に必要な場所名のみを登録すればよいから、第２装置１２での記憶容量を大きく消費することもない。
【００２９】
一方、地理的位置を認識する機能のみを第２装置１２が備え、地理的位置と場所名とを関連付けて記憶する機能と、地理的位置から場所名を抽出する機能とはサーバ１３が備えていてもよい。この構成では、地理的位置と場所名との関係をサーバ１３で一元的にまとめて管理することが可能である。
【００３０】
ところで、サーバ１３は、時計部１３１と記憶部１３２と選択部１３３と判断部１３４とを備える。時計部１３１は日時（少なくとも、年月日および時分）を計時する。時計部１３１は、サーバ１３を構成するコンピュータが備えるリアルタイムクロックにより実現される。記憶部１３２は、第１装置１１の入力部１１１から入力された複数の行動予定情報を記憶する。すなわち、介護者が第１装置１１の入力部１１１から行動予定情報を入力すると、この行動予定情報が記憶部１３２に格納される。
【００３１】
行動予定情報は、対象者について、予定した行動の種類および日時を含んでいる。行動予定情報は、対象者が、いつ、何をするかというスケジュールであり、対象者に対応付けて記憶部１３２に格納される。記憶部１３２には、対象者の複数の行動予定情報が格納される。また、複数の対象者について行動予定情報が記憶部１３２に格納される。
【００３２】
記憶部１３２が記憶する行動予定情報は、対象者と行動の種類と日時とを含む形式で表される。この形式では、記憶部１３２から特定の対象者について行動予定情報を抽出するために、対象者をキーに用いることが必要である。一方、記憶部１３２を対象者ごとの記憶領域に分割しておき、行動の種類と日時とを含む形式で表した行動予定情報を、対象者ごとの記憶領域（ファイル）に格納してもよい。この形式では、対象者によって行動予定情報を検索する範囲を絞り込むことができる。
【００３３】
対象者が記憶部１３２に格納された行動予定情報に従って行動をし、その行動が完了した場合、行動が完了したという情報と完了の日時とが行動完了情報として第１装置１１からサーバ１３に通知され、行動完了情報が記憶部１３２に格納される。第１装置１１は介護者が操作するから、対象者の行動の結果は介護者によって記録される。すなわち、記憶部１３２には、対象者の行動予定情報と行動完了情報とが格納される。
【００３４】
選択部１３３は、記憶部１３２に格納された行動予定情報または行動完了情報のうち、第２装置１２の入力部１２１が要求した種類であって、時計部１３１が計時している日時と所定の関係である情報を選択する。所定の関係は、たとえば入力部１２１が行動予定情報を要求した場合、行動予定情報に含まれる日時が時計部１３１で計時している日時の後、かつ最初の行動予定情報となる関係を意味する。また、所定の関係は、たとえば入力部１２１が行動完了情報を要求した場合、行動完了情報に含まれる日時が時計部１３１で計時している日時の前、かつ最新の行動完了情報となる関係を意味する。
【００３５】
ここに、時計部１３１が計時している日時の後、かつ最初の行動予定情報には、時計部１３１が計時している日時から一定時間内という条件を付加してもよい。すなわち、選択部１３３は、時計部１３１が計時している日時の後の一定時間内である日時を含み、かつ時計部１３１が計時している日時にもっとも近い日時を含む行動予定情報を選択してもよい。同様に、時計部１３１が計時している日時の前、かつ最新の行動完了情報には、時計部１３１が計時している日時と同じ日という条件を付加してもよい。
【００３６】
第２装置１２の提示部１２２には、対象者の認知機能を支援するための情報が提示される。提示部１２２に提示される情報は、対象者が日常生活を送るために記憶していなければならない情報である。この種の情報には、選択部１３３が選択した行動予定情報または行動完了情報が含まれる。また、この種の情報には、対象者が居る場所、日時、対象者の身元、対象者の連絡先、対象者の家族、対象者に対する介護者、備忘録などが含まれる。これらの情報は、認知障害の中でも、記憶障害または見当識障害に関連している。どの情報に対する認知障害が生じているかは、対象者の認知障害のレベルあるいは認知障害の種類による個人差がある。
【００３７】
対象者が使用する第２装置１２の提示部１２２に表示される初期画面Ｄｓには、図２Ａのように日時の情報を提示する領域Ｆ１１と、写真あるいは絵を表示する領域Ｆ１２とが設けられる。図２Ａに示す初期画面Ｄｓでは、提示部１２２の画面が上下に２分割され、上の領域Ｆ１１に日時の情報が提示され、下の領域Ｆ１２に写真あるいは絵が表示されている。日時の情報の表現には、時計の文字盤を模した図形と文字列とが用いられている。領域Ｆ１２に写真あるいは絵を表示する動作は２種類から選択される。すなわち、第２装置１２では、提示部１２２に静止画像を表示するフォトスタンドの動作と、時間帯によって画像が変化するスライドショーの動作とが選択可能である。
【００３８】
図２Ａに示す初期画面Ｄｓにおいてタッチパネル（画面）に触れると、図２Ｂに示す操作画面Ｄｏが表示される。画面に触れるとは、入力部１２１であるタッチパネルに触れることである。タッチパネルの動作原理に応じて、指あるいはタッチペンなどでタッチパネルに触れると、初期画面Ｄｓから操作画面Ｄｏに移行する。操作画面Ｄｏには、複数個（図２Ｂでは５個）のボタンＢ１、Ｂ２、…、Ｂ５が配置される。５個のボタンＢ１、Ｂ２、…、Ｂ５のうちの４個のボタンＢ１、Ｂ２、…、Ｂ４は、対象者が提示部１２２への提示を要求する情報の選択のために設けられ、ボタンＢ５は操作画面Ｄｏから初期画面Ｄｓへの復帰のために設けられている。以下では、タッチパネルに指あるいはタッチペンなどで触れることを、単に「触れる」と言う。また、ボタンに触れることは、提示部１２２の画面にボタンの図形が表示されている領域のタッチパネルに触れることを意味している。ボタンに触れる動作は、押ボタンスイッチの押ボタンを押す動作に相当する。
【００３９】
図２Ｂに示す例では、ボタンＢ１は対象者の身元を表す情報および備忘録に対応し、ボタンＢ２は対象者がすでにした行動の情報に対応し、ボタンＢ３は対象者がする予定の行動に対応し、ボタンＢ４は対象者が居る場所の情報に対応する。ボタンＢ１には「大事なこと」と表記され、ボタンＢ２には「さっきしたこと」と表記され、ボタンＢ３には「つぎにすること」と表記され、ボタンＢ４には「ここはどこ？」と表記されている。また、ボタンＢ５には「最初に戻る」と表記されている。図２ＢにおいてボタンＢ１、Ｂ２、…、Ｂ５に表記している文字列は一例であって、適宜に定めることができる。
【００４０】
図２Ｂに示す例では、ボタンＢ１に触れた場合には、対象者の名前、対象者の住所、対象者の家族構成など、対象者の身元あるいは備忘録が提示部１２２に表示される。また、ボタンＢ２に触れた場合には、当日において対象者がボタンＢ２に触れる前にした行動のなかで最新の行動が提示部１２２に表示される。ボタンＢ３に触れた場合には、当日において対象者がボタンＢ３に触れた後にする行動のなかで最初の行動が提示部１２２に表示される。ボタンＢ４に触れた場合、第２装置１２の存在する場所について位置認識部１２３が場所名を特定できれば、該当する場所名が提示部１２２に表示される。さらに、ボタンＢ５に触れた場合には、図２Ａに示す初期画面Ｄｓが提示部１２２に表示される。
【００４１】
ところで、図２Ｂに示すような操作画面Ｄｏは、対象者の認知障害のレベルあるいは種類に応じて変更することが可能である。操作画面Ｄｏを作成するには、第２装置１２を、使用時の動作モード（以下、「使用モード」という）とは異なる動作状態である設定モードに切り替える。使用モードから設定モードへの切替は、第１装置１１から第２装置１２に指示することが望ましい。あるいは、第１装置１１から第２装置１２に指示することにより、使用モードから設定モードに切り替えるためのボタンが、操作画面Ｄｏに表示されるようにしてもよい。この場合、使用モードから設定モードへの切替は、１回の操作ではなく複数回の操作を必要とするように定めてもよい。
【００４２】
要するに、第２装置１２は、対象者が第２装置１２を誤って設定モードに切り替えることがなく、かつ対象者が第２装置１２を誤って操作しても操作画面Ｄｏに復帰できるように構成されていることが望ましい。操作画面Ｄｏにおいて、対象者が望んでいないボタンに誤って触れた場合、第２装置１２は対象者の要望に応える処理を行えない。ただし、操作画面Ｄｏに表示されたボタンに触れたときに提示部１２２に提示される画面には、「戻る」というボタンＢ０が表示され（図５、図６、図７、図８参照）、ボタンＢ０に触れると操作画面Ｄｏに復帰する。したがって、対象者は操作画面Ｄｏに表示されたボタンに誤って触れたとしても、いつでも操作画面Ｄｏに復帰することが可能である。
【００４３】
ところで、設定モードでは、第２装置１２の提示部１２２には、図３のようなメニュー画面Ｄｍが表示される。メニュー画面Ｄｍには、使用者による選択が可能な複数個（図３では１１個）のボタンＢ１１、Ｂ１２、…Ｂ４２、Ｂ４３が表示される。複数個のボタンＢ１１、Ｂ１２、…Ｂ４２、Ｂ４３それぞれは、対象者の要求する情報に対応している。図３に示す例では、１１個のボタンＢ１１、Ｂ１２、…Ｂ４２、Ｂ４３に対応する情報が６種類に分類され、情報の種類に応じてボタンＢ１１、Ｂ１２、…Ｂ４２、Ｂ４３に色が付与されている。
【００４４】
ボタンＢ１１は対象者の身元および備忘録の情報に対応し、ボタンＢ１１には「大事なこと」と表記されている。ボタンＢ１２およびボタンＢ１３は対象者の連絡先の情報に対応し、ボタンＢ１２には「子供に電話」と表記され、ボタンＢ１３には「施設に電話」と表記されている。
【００４５】
ボタンＢ２１は日時の情報に対応し、ボタンＢ２１には「年月日、時間」と表記されている。ボタンＢ４１は場所の情報に対応し、ボタンＢ４１には「ここはどこ？」と表記されている。ボタンＢ２２、Ｂ３１、Ｂ３２、Ｂ３３は対象者の行動の情報に対応し、ボタンＢ２２には「さっきしたこと」と表記され、ボタンＢ３１には「次にすること」と表記されている。また、ボタンＢ３２には「今日の予定」と表記され、ボタンＢ３３には「今日の献立」と表記されている。さらに、ボタンＢ４２、Ｂ４３は対象者の関係者の情報に対応し、ボタンＢ４２には「私の家族」と表記され、ボタンＢ４３には「施設のみんな」と表記されている。
【００４６】
ボタンＢ１１、Ｂ２１、Ｂ４１には、それぞれ異なる色が付与される。ボタンＢ１２、Ｂ１３は対象者の連絡先に電話をかけるという同種類の情報に対応しているから、ボタンＢ１２、Ｂ１３には同色が付与される。また、ボタンＢ２２、Ｂ３１、Ｂ３２、Ｂ３３は対象者の行動の情報という同種類の情報に対応しているから、ボタンＢ２２、Ｂ３１、Ｂ３２、Ｂ３３には同色が付与される。さらに、ボタンＢ４２、Ｂ４３は対象者の関係者という同種類の情報に対応しているから、ボタンＢ４２、Ｂ４３には同色が付与される。要するに、図３に示すメニュー画面Ｄｍでは、ボタンＢ１１、Ｂ１２、…Ｂ４２、Ｂ４３が６種類の色に分類されている。メニュー画面ＤｍにおいてボタンＢ１１、Ｂ１２、…Ｂ４２、Ｂ４３に付与されている色は、操作画面Ｄｏにも踏襲される。したがって、ボタンＢ１１、Ｂ１２、…Ｂ４２、Ｂ４３に付与する色は、対象者が容易に識別できる色であることが望ましい。
【００４７】
メニュー画面ＤｍにおけるボタンＢ１１、Ｂ１２、…Ｂ４２、Ｂ４３は、操作画面Ｄｏを作成するために配置されているから、これらのボタンＢ１１、Ｂ１２、…Ｂ４２、Ｂ４３に触れても提示部１２２に情報を表示することは必要ではない。ただし、ボタンＢ１１、Ｂ１２、…Ｂ４２、Ｂ４３に触れたときにボタンＢ１１、Ｂ１２、…Ｂ４２、Ｂ４３に対応する情報を提示部１２２に表示する動作が選択可能であってもよい。この動作が選択可能であると、ボタンＢ１１、Ｂ１２、…Ｂ４２、Ｂ４３に対応する情報を確認することができる。
【００４８】
ボタンＢ１１に対応する情報は、対象者の名前、対象者の住所、対象者の家族構成など、対象者の身元の情報および備忘録であり、操作画面Ｄｏに配置されたボタンＢ１１は、図２Ｂに示したボタンＢ１と同様に機能する。ボタンＢ１２、Ｂ１３に対応する情報は、対象者の連絡先の電話番号である。操作画面ＤｏにボタンＢ１２が配置された場合は、ボタンＢ１２に触れたときに対象者の子供に電話をかけることができ、操作画面ＤｏにボタンＢ１３が配置された場合は、ボタンＢ１３に触れたときに対象者が入居している介護施設に電話をかけることができる。
【００４９】
ボタンＢ２１に対応する情報は日時の情報であり、ボタンＢ４１に対応する情報は場所の情報である。操作画面ＤｏにボタンＢ２１が配置された場合は、ボタンＢ２１に触れたときに時計部１３１が計時している日時が提示部１２２に表示される。また、操作画面ＤｏにボタンＢ４１が配置された場合は、ボタンＢ４１に触れたときに位置認識部１２３が認識している場所名が提示部１２２に表示される。操作画面Ｄｏに配置されたボタンＢ４１は、図２Ｂに示したボタンＢ４と同様に機能する。
【００５０】
ボタンＢ２２に対応する情報は対象者がすでにした行動の情報であり、ボタンＢ２３に対応する情報は対象者がこれからする行動の情報である。操作画面ＤｏにボタンＢ２２が配置された場合は、ボタンＢ２２に触れたときに対象者がボタンＢ２２に触れる前にした行動のうち最新の行動が提示部１２２に表示される。つまり、操作画面Ｄｏに配置されたボタンＢ２２は、図２Ｂに示したボタンＢ２と同様に機能する。また、操作画面ＤｏにボタンＢ３１が配置された場合は、対象者がボタンＢ３１に触れた後にする行動のうち最初の行動が提示部１２２に表示される。つまり、操作画面Ｄｏに配置されたボタンＢ３１は、図２Ｂに示したボタンＢ３と同様に機能する。
【００５１】
ボタンＢ３２に対応する情報は対象者の１日の行動予定であり、ボタンＢ３３に対応する情報は対象者の１日の食事である。操作画面ＤｏにボタンＢ３２が配置された場合は、ボタンＢ３２に触れたときに、記憶部１３２に格納されている対象者の当日の行動予定が提示部１２２に表示される。また、操作画面ＤｏにボタンＢ３３が配置された場合は、ボタンＢ３３に触れたときに、対象者の当日の食事が文字あるいは写真によって提示部１２２に表示される。なお、当日の行動予定は１日のすべての行動予定であることが望ましく、当日の食事は１日のすべての食事であることが望ましい。ただし、当日の食事は、操作画面Ｄｏに配置されたボタンＢ３３に触れた時刻以降の食事であってもよい。
【００５２】
ボタンＢ４２に対応する情報は対象者の家族の情報であり、ボタンＢ４３に対応する情報は対象者が入居している介護施設において対象者が顔を合わせる介護者の情報である。操作画面ＤｏにボタンＢ４２が配置された場合は、ボタンＢ４２に触れたときに、対象者の家族の写真が提示部１２２に表示される。また、操作画面ＤｏにボタンＢ４３が配置された場合は、ボタンＢ４３に触れたときに、対象者が入居する介護者の写真が提示部１２２に表示される。
【００５３】
本実施形態では、メニュー画面Ｄｍで選択可能なボタンＢ１１、Ｂ１２、…Ｂ４２、Ｂ４３は１１個であるが、メニュー画面Ｄｍと操作画面Ｄｏとにおけるボタンの個数にとくに制限はない。したがって、ボタンに対応付ける情報の種類にもとくに制限はない。さらに、ボタンに付与する色の種類、色を付与するボタンの区分にもとくに制限はない。
【００５４】
図４Ａ、図４Ｂに操作画面Ｄｏでのボタンの配置例を示す。図４Ａに示す操作画面Ｄｏは、７個のボタンＢ１、Ｂ２、…、Ｂ７が配置された例であって、ボタンＢ１、…、Ｂ５は、それぞれ図２Ｂに示した操作画面Ｄｏに配置されたボタンＢ１、…、Ｂ５と同様に機能する。また、ボタンＢ６はメニュー画面ＤｍのボタンＢ４３に対応し、ボタンＢ７はメニュー画面ＤｍのボタンＢ１３に対応する。図４Ｂに示す操作画面Ｄｏは、４個のボタンＢ１、Ｂ４、Ｂ５、Ｂ７が配置された例であって、３個のボタンＢ１、Ｂ４、Ｂ５は図２Ｂに示した操作画面Ｄｏに配置されたボタンＢ１、Ｂ４、Ｂ５と同様に機能する。ボタンＢ７はメニュー画面ＤｍのボタンＢ１３に対応する。なお、操作画面Ｄｏに配置されるボタンＢ５はメニュー画面Ｄｍに対応するボタンが存在しないが、このボタンＢ５は操作画面Ｄｏでは自動的かつ必ず配置される。
【００５５】
メニュー画面Ｄｍに示されたボタンＢ１１、Ｂ１２、…Ｂ４２、Ｂ４３を用いて図４Ａ、図４Ｂのような操作画面Ｄｏを作成するには、使用者が第２装置１２を以下のように操作する。メニュー画面Ｄｍから操作画面Ｄｏを作成する際には、介護者が対象者に付き添って第２装置１２を操作することが望ましい。操作画面Ｄｏを作成するには、メニュー画面Ｄｍを表示した状態で、メニュー画面Ｄｍに表示されているボタンＢ１１、Ｂ１２、…Ｂ４２、Ｂ４３のうち、操作画面Ｄｏに配置しようとするボタンに触れる。複数のボタンに順に触れると複数のボタンが選択され、同じボタンに２回触れると該当するボタンの選択が解除される。所望のボタンを選択した後に、選択を決定するボタンに触れると、メニュー画面Ｄｍで選択されたボタンを並べた操作画面Ｄｏが提示部１２２に表示される。
【００５６】
メニュー画面Ｄｍでボタンを選択したボタンには、操作画面Ｄｏでの配置に、優先順位が決められている。また、初期の操作画面Ｄｏでは、選択されたボタンの個数に応じて、ボタンが１列、２列、または３列に配置される。初期の操作画面Ｄｏでは、たとえば、ボタンが３個以下なら１列、ボタンが４個以上６個以下なら２列、ボタンが７個以上なら３列などに定められる。ここに、初期の操作画面Ｄｏは、メニュー画面Ｄｍでボタンを選択した直後の操作画面Ｄｏのことである。
【００５７】
メニュー画面Ｄｍから選択されたボタンは、初期の操作画面Ｄｏでは配置の優先順位が高いほど上に配置される。また、ボタンが２列以上である場合、ボタンは配置の優先順位が高いほど左に配置される。つまり、ボタンが２列以上並ぶ場合は、配置の優先順位が１番であるボタンが最上段の左端に配置され、優先順位が２番であるボタンが最上段で左端から２番目に配置される。最上段が埋まると、配置の優先順位が次に高いボタンが２段目の左端に配置される。
【００５８】
初期の操作画面Ｄｏでは、メニュー画面Ｄｍで選択したボタンの種類に応じて、上述のようにボタンの配置が規則で定められている。ただし、操作画面Ｄｏでのボタンの配置は変更可能であることが望ましい。操作画面Ｄｏでのボタンの配置が変更可能であれば、第２装置１２の使用者に合わせてボタンを配置することが可能になる。
【００５９】
操作画面Ｄｏでボタンの配置を変更する場合は、たとえば、移動させようとするボタンに所定時間（たとえば、２秒間）以上触れ、該当するボタンに触れた状態で所望の位置にボタンを移動させる。ただし、誤操作を防止するために、操作画面Ｄｏで通常の操作を行うときにはボタンの移動を禁止し、別途の操作によりボタンを移動可能な状態に移行させることが望ましい。
【００６０】
操作画面Ｄｏのボタンを移動させた場合は、横に並ぶボタンの個数を適宜に定めることが可能である。たとえば、図２Ｂに示した操作画面Ｄｏのように、上段に１列のボタン（Ｂ１）、下段に１列のボタン（Ｂ４）、中段に２列のボタン（Ｂ２、Ｂ３）を配置することが可能である。ここに、操作画面Ｄｏでは、メニュー画面Ｄｍから選択されたボタンのほかに、初期画面Ｄｓに復帰させるためのボタンＢ５が最下段に表示される。
【００６１】
なお、上述した動作例では、メニュー画面Ｄｍにおいて、操作画面Ｄｏに配置するボタンを選択しているが、メニュー画面Ｄｍにおいて、操作画面Ｄｏに配置しないボタンを削除することによって、操作画面Ｄｏに配置するボタンを決めてもよい。たとえば、メニュー画面Ｄｍに示されたボタンＢ１１、Ｂ１２、…Ｂ４２、Ｂ４３のうち、操作画面Ｄｏに表示する必要のないボタンを選択し、選択したボタンを削除する操作によって、操作画面Ｄｏを提示部１２２に表示する構成を採用してもよい。この操作を可能にする場合、メニュー画面Ｄｍにおいて、いわゆる「ごみ箱」を提示部１２２に表示しておき、選択したボタンをごみ箱に入れる操作を模擬することにより、操作画面Ｄｏに表示しないボタンを選択してもよい。
【００６２】
第２装置１２が設定モードであるときに操作画面Ｄｏにおいてボタンの追加あるいは削除を行う必要が生じた場合は、操作画面Ｄｏからメニュー画面Ｄｍに戻ってボタンの追加あるいは削除を行う。また、第２装置１２が使用モードであるときに操作画面Ｄｏにおいてボタンの追加あるいは削除を行う必要が生じた場合は、第２装置１２を設定モードに切り替え、メニュー画面Ｄｍで追加あるいは削除を行う。メニュー画面Ｄｍでは、操作画面Ｄｏで選択されているボタンが他のボタンと区別した状態で表示されるから（たとえば、選択されたボタンに枠が表示される）、選択するボタンを追加するか削除する操作を行えば、操作画面Ｄｏに表示されるボタンの種類を変更することができる。
【００６３】
操作画面Ｄｏの構成が決まれば、第２装置１２は設定モードから使用モードに切り替えられる。設定モードから使用モードへの切替は、設定モードを終了する操作によって行えばよい。ただし、使用モードから設定モードに切り替える場合と同様に、第１装置１１から設定モードから使用モードへの切替を指示してもよい。
【００６４】
以下では、使用モードでの動作の具体例を説明する。ここでは、図２Ｂの操作画面Ｄｏに配置されたボタンＢ１、Ｂ２、Ｂ３、Ｂ４に触れた場合の処理について説明する。なお、メニュー画面Ｄｍに示されたボタンＢ１１、Ｂ１２、…Ｂ４２、Ｂ４３には、ボタンＢ１、Ｂ２、Ｂ３、Ｂ４とは異なる処理を行うボタンも含まれているが、記憶障害および見当識障害を支援する代表例としてボタンＢ１、Ｂ２、Ｂ３、Ｂ４に対応する処理を例示する。以下では、認知機能支援システム１０について、主として、短期記憶と展望記憶と場所に関する見当識とを支援する動作について説明する。
【００６５】
認知機能支援システム１０は、短期記憶の支援を行うために、対象者がすでにした行動を第２装置１２の提示部１２２に示し、展望記憶の支援を行うために、対象者がこれからする行動を第２装置１２の提示部１２２に示す。対象者がすでにした行動か、対象者がこれからする行動かは、時計部１３１が計時している日時と、記憶部１３２に格納された対象者の行動情報とを用いて区分される。また、認知機能支援システム１０は、場所に関する見当識の支援を行うために、位置認識部１２３を用いて対象者が居る場所を認識し、場所名を第２装置１２の提示部１２２に示す。
【００６６】
本実施形態では、短期記憶は、時計部１３１が計時している日時より前であって対象者がした日時がもっとも近い行動に関する記憶を意味し、「さっきしたこと」という文言を対応させている。展望記憶は、時計部１３１が計時している日時より後であって対象者が次にする予定の行動に関する記憶を意味し、「次にすること」という文言を対応させている。場所に関する見当識の支援は、位置認識部１２３が認識した場所名を対象者に示すことにより行う。場所の見当識には、「ここはどこ？」という文言を対応させている。
【００６７】
すなわち、ボタンＢ２に触れると短期記憶を支援する情報が提示部１２２に示され、ボタンＢ３に触れると展望記憶を支援する情報が提示部１２２に示され、ボタンＢ４に触れると場所の見当識を支援する情報が提示部１２２に示される。支援する内容に対応させた上述の文言は一例であり、短期記憶、展望記憶、場所に関する見当識の支援をそれぞれ区別できる文言であればよい。
【００６８】
操作画面Ｄｏにおいて、ボタンＢ１に触れると、図５のような説明画面Ｄｅが提示部１２２に表示される。図５に示す説明画面Ｄｅでは、「大事なこと」という表題が上段に表示され、説明画面Ｄｅに定められた個数の項目が文字で表示される。図５に示す説明画面Ｄｅには、３つの項目が表示されている。上述のように、「大事なこと」に対応する内容は、対象者の身元の情報、備忘録などである。説明画面Ｄｅに並べて表示する項目は３項目程度が望ましいが、さらに多くの項目を表示する場合は、説明画面Ｄｅのスクロールを許可するか、説明画面Ｄｅに表示する文字サイズを小さくすればよい。
【００６９】
対象者の身元は、具体的には、対象者の姓名および配偶者の姓名、家族構成、住所などである。対象者の姓名および配偶者の姓名は、たとえば、「自分は＊＊＊＊。夫は＊＊＊＊。」と表示される。家族構成は、たとえば、「子供は２人。息子の名前は＊＊、娘の名前は＊＊。」のように表示され、住所は、たとえば、「お家は＊＊＊＊。」のように表示される。備忘録は、子供の訪問日、友人との外出予定、配偶者の命日などを含む。子供の訪問日は、たとえば、「＊日後に息子さんが来ます。」のように表示され、友人との外出予定は、たとえば、「＊曜日に＊＊さんと外出です。」と表示され、配偶者の命日は、たとえば、「＊日は、お父さんの命日です。」と表示される。
【００７０】
ボタンＢ１に対応付ける情報は、介護者が、対象者あるいは対象者の家族などから聞き取ることによって取得する。さらに、介護者は、聞き取りにより取得した情報を、第１装置１１を用いてサーバ１３に登録する。この種の情報は、第２装置１２の提示部１２２を対象者に見せながら介護者が第２装置１２を用いて入力してもよい。
【００７１】
対象者は、第２装置１２のボタンＢ１に触れると「大事なこと」を確認することができるから、物忘れに対する不安が軽減される。また、対象者は第２装置１２で「大事なこと」を確認できるから、対象者が「大事なこと」を他人に尋ねる回数が減り、対象者にとっても尋ねられる人にとっても負担が軽減される。
【００７２】
操作画面Ｄｏにおいて、ボタンＢ２に触れると、図６のような説明画面Ｄｅが提示部１２２に表示される。図６に示す説明画面Ｄｅには、時計部１３１が計時している日時より前の時刻における対象者の行動のうち最新の行動の内容が文字で表示され、該当する行動を示す写真があれば文字に併せて写真も表示される。図６では、「さっきしたこと」に相当する行動が朝食である例を示している。説明画面Ｄｅには、「＊＊時に朝食を食べました」という文字と、朝食時の写真Ｐ１、Ｐ２とが表示されている。写真Ｐ１は朝食時の料理が並んだ写真であり、写真Ｐ２は対象者と朝食を共にした人が写った食卓の風景の写真である。
【００７３】
ボタンＢ２に対応する対象者の行動は、食事、入浴、用便、服薬、レクリエーションなどの特定の行動であり、該当する行動を対象者が終了した直後に、介護者が第１装置１１を用いて行動の内容をサーバ１３の記憶部１３２に登録する。このとき、サーバ１３は、第１装置１１から対象者が終了した行動の内容を受け取ると、行動の内容と時計部１３１が計時している日時とを結び付けた行動完了情報として記憶部１３２に格納する。要するに、記憶部１３２には、特定の行動の内容が、その行動の終了日時と併せて行動完了情報として格納される。
【００７４】
ボタンＢ２に対応付ける情報は、介護者が、対象者の行動を見守ることによって取得する。さらに、介護者は、対象者が特定の行動を終了したことを確認すると、第１装置１１を用いてサーバ１３に行動の内容を登録する。第１装置１１は、基本的には、介護者が携行するタブレット端末であるが、特定の場所に配置されたパーソナルコンピュータであってもよい。
【００７５】
操作画面Ｄｏにおいて、ボタンＢ３に触れると、図７のような説明画面Ｄｅが提示部１２２に表示される。図７に示す説明画面Ｄｅには、時計部１３１が計時している日時より後の時刻における対象者の行動のうち最初の行動の内容が文字で表示され、該当する行動の内容に対応した写真があれば文字に併せて写真も表示される。図７では、「次にすること」に相当する行動が食堂でする体操である例を示している。説明画面Ｄｅには、「＊＊時から食堂で体操です」という文字と、体操に関連する写真Ｐ３とが表示されている。写真Ｐ３は、以前に食堂で体操をしたときの実際の写真、または食堂で体操をしている情景を表す写真が用いられる。
【００７６】
ボタンＢ３に対応する対象者の予定の行動は、ボタンＢ２と同様に、食事、入浴、服薬、レクリエーションなどの特定の行動である。介護者は、該当する行動を対象者がするまでに、第１装置１１を用いて、行動の内容と行動をする予定の日時を行動予定情報として、サーバ１３の記憶部１３２に登録する。行動予定情報には、行動の内容を表す文字および予定の日時のほか、行動の内容に対応した写真が含まれる場合がある。
【００７７】
介護者が行動予定情報を記憶部１３２に登録するタイミングは、該当する行動をする前日までが望ましいが、行動の内容によっては当日の場合もある。ただし、多くの場合、行動予定情報は前日に登録される。また、行動予定情報を記憶部１３２に登録するために介護者が用いる第１装置１１は、通常は介護者が携行するタブレット端末であるが、特定の場所に設置されたパーソナルコンピュータであってもよい。
【００７８】
ボタンＢ３に対象者が触れると、選択部１３３は、時計部１３１が計時している日時を参照し、参照した日時の後の日時を持つ行動予定情報のうちの最初の行動予定情報を記憶部１３２から選択する。選択部１３３が選択した行動予定情報は、図７のような形式で提示部１２２に提示される。
【００７９】
ボタンＢ３は、ボタンＢ１、Ｂ２と同様に、触れたときに提示部１２２に提示する情報によって記憶障害を支援する。したがって、この種の情報を対象者に提示することによって、対象者にとっては、物忘れに対する不安が軽減され、行動の予定を他人に尋ねる回数が低減されるという効果が期待できる。また、行動の予定を他人に尋ねる回数が低減されることによって、対象者にとっても尋ねられる人にとっても負担が軽減される。
【００８０】
操作画面Ｄｏにおいて、ボタンＢ４に触れると、図８のような説明画面Ｄｅが提示部１２２に表示される。図８に示す説明画面Ｄｅは、見当識障害を支援する情報を提示する。ここでの見当識障害は、主として場所に関する見当識障害を意図しており、ボタンＢ４に触れたときに、第２装置１２が存在する場所の情報を提示することによって、対象者に現在位置を認識させる。ただし、日時に関する見当識障害も支援するために、説明画面Ｄｅには時計部１３１が計時している日時の情報も提示される。
【００８１】
説明画面Ｄｅには、「ここは、＊＊＊施設＊＊号室、＊＊さんの家です」のような形式で場所の情報が提示される。場所の情報を提示部１２２に提示するために、記憶部１３２には、地理的位置の情報と場所名の情報とを対応付けた場所情報が登録される。登録された場所の写真があれば文字に併せて写真も表示される。写真は季節に応じた情報を含んでいることが望ましい。たとえば、春であれば桜のような花が写った写真が望ましく、秋であれば紅葉が写った写真が望ましい。
【００８２】
ボタンＢ４に触れたときに提示部１２２に提示される説明画面Ｄｅには、場所に応じて、次の２種類のボタンのいずれかが配置される。説明画面Ｄｅに提示される場所は、第２装置１２が備える位置認識部１２３が認識している場所であり、介護施設の内部と外部とに場合分けがなされる。したがって、対象者が介護施設の内部に居るか介護施設の外部に居るかに応じて、説明画面Ｄｅに配置されるボタンの種類が選択される。
【００８３】
一方のボタンは、対象者が介護施設に居るときにボタンＢ４に触れると説明画面Ｄｅに配置される。このボタンに触れると、対象者が該当する場所に居る理由を説明する説明情報が提示部１２２に提示される。説明情報は、たとえば、「あなたのお部屋は、この建物の＊階＊＊号室です」のような内容である。対象者が介護施設に居る理由の説明情報は、対象者が介護施設に入居している場合、対象者が介護施設に短期入所している場合などの場合に分けて、記憶部１３２にあらかじめ登録される。
【００８４】
他方のボタンは、対象者が介護施設の外に居るときにボタンＢ４に触れると説明画面Ｄｅに配置される。このボタンに触れると対象者の居る場所が第１装置１１に通知される。このボタンには、「迎えを呼ぶ」のような文字が表示される。対象者がこのボタンに触れると、対象者を担当する介護者の第１装置１１と、介護施設の所定の場所に設置された第１装置１１とに、警報が通知される。また、このとき、対象者が携行する第２装置１２の位置認識部１２３が認識している場所が第１装置１１に通知される。
【００８５】
ボタンＢ４に触れたときの場所は、第２装置１２が備える位置認識部１２３が認識し、地理的位置に対応する場所名がサーバ１３に登録されていれば、該当する場所名を説明画面Ｄｅに表示する。また、ボタンＢ４に触れた時点の地理的場所に対応する場所名がサーバ１３に登録されていなければ、場所名に代えて住所を説明画面Ｄｅに表示する。対象者が住所から自身の居る場所を認識できる程度の認知機能を有していれば、対象者は自力で所望の場所に移動することが可能である。また、住所からは自身の居る場所を認識できなければ、「迎えを呼ぶ」ボタンに触れることにより、介護施設から迎えを呼ぶことが可能である。
【００８６】
すなわち、ボタンＢ４に触れると、対象者に居る場所を示すことによって、対象者の場所に関する見当識障害を支援することが可能である。また、対象者が介護施設の外に出た後に介護施設に戻れなくなった場合でも、対象者が携行する第２装置１２の「迎えに来て」ボタンＢ８に触れると、対象者が介護施設に戻れなくなったことが第１装置１１に通知される。第１装置１１には、第２装置１２の地理的位置も通知されるから、対象者を探し出せる可能性が高くなる。
【００８７】
以上のように、ボタンＢ４に触れることにより、対象者が居る場所の情報が説明画面Ｄｅに提示されるから、場所の見当識障害を支援することが可能になる。この種の情報が第２装置１２に提示され、また必要に応じて迎えを呼ぶことができるから、対象者は場所を知覚できなくなっても不安感を緩和できる。また、対象者が徘徊したとしても、第１装置１１に通知があれば、対象者の居る場所が介護者にわかるから、対象者が徘徊したときの対応が可能になる。
【００８８】
ところで、認知機能支援システム１０を使用するには、行動完了情報、行動予定情報、「大事なこと」の情報、対象者に関係する人の情報などの情報を、記憶部１３２に登録しておく必要がある。これらの情報は、主として第１装置１１の入力部１１１から入力される。第１装置１１は、入力部１１１および提示部１１２を備えており、入力部１１１から情報を入力すると、提示部１１２の表示に反映される。したがって、第１装置１１の操作者は、提示部１１２の表示内容を確認しながら、入力部１１１からインタラクティブに情報を入力することができる。
【００８９】
図９に第１装置１１に表示される画面の構成例を示す。図９に示す画面Ｄ１１は、行動完了情報を入力する画面の一例である。画面Ｄ１１の上部には、５個のタブＴ１１、Ｔ１２、Ｔ１３、Ｔ１４、Ｔ１５が左右に並んでいる。タブＴ１１には「実施入力」の文字が表記され、タブＴ１２には「予定入力」の文字が表記されている。タブＴ１３には「大事なこと」の文字、タブＴ１４には「関係する人」の文字、タブＴ１５には「各種設定」の文字がそれぞれ表記されている。
【００９０】
「実施入力」のタブＴ１１は行動完了情報を入力する画面Ｄ１１に対応し、「予定入力」のタブＴ１２は行動予定情報を入力する画面Ｄ１２（図１０参照）に対応する。「大事なこと」のタブＴ１３は、図２Ｂに示した操作画面ＤｏのボタンＢ１に触れたときに第２装置１２の提示部１２２に提示される情報を入力する画面Ｄ１３（図１１参照）に対応する。「関係する人」のタブＴ１４は、対象者の家族、友人などの情報を入力する画面Ｄ１４（図１２参照）に対応する。さらに、「各種設定」のタブＴ１５は、対象者が居る場所に関する理由の説明情報を入力する画面Ｄ１５（図１３参照）に対応する。
【００９１】
５枚の画面Ｄ１１、Ｄ１２、Ｄ１３、Ｄ１４、Ｄ１５のいずれにも、それぞれ５個のタブＴ１１、Ｔ１２、Ｔ１３、Ｔ１４、Ｔ１５が表示される。タブＴ１１、…、Ｔ１５のいずれかを選択すれば、タブＴ１１、…、Ｔ１５に対応した画面Ｄ１１、…、Ｄ１５が第１装置１１に表示される。ここに、タブＴ１１、…、Ｔ１５を選択するとは、入力部１１１がタッチパネルであれば、タブＴ１１、…、Ｔ１５に触れることを意味する。また、入力部１１１がマウスのようなポインティングデバイスを備えていれば、タブＴ１１、…、Ｔ１５を選択することは、タブＴ１１、…、Ｔ１５をクリックすることに相当する。
【００９２】
「実施入力」のタブＴ１１が選択されると、図９のような画面Ｄ１１が第１装置１１に表示される。画面Ｄ１１の上部には、「対象者」の領域Ｆ１１１と「実施内容」の領域Ｆ１１２とが設けられる。また、画面Ｄ１１の下部には、行動完了情報の内容を確認するための領域Ｆ１１３と、行動完了情報に含める写真が表示される領域Ｆ１１４とが設けられる。さらに、画面Ｄ１１には、４つのボタンＢ１１１、Ｂ１１２、Ｂ１１３、Ｂ１１４が配置されている。ボタンＢ１１１には「更新」と表記され、ボタンＢ１１２には「撮影」と表記され、ボタンＢ１１３には「読込」と表記され、ボタンＢ１１４には「戻る」と表記される。ボタンＢ１１４に触れた場合には、第１装置１１の初期画面に復帰する。
【００９３】
図９に示す画面Ｄ１１では、領域Ｆ１１１に、介護施設に入居している複数人の対象者それぞれについて、「部屋番号」、「入居者」、「現在」、「次の予定」の項目が表の形式で表示されている。領域Ｆ１１１には、介護施設のすべての入居者を表示することが望ましいが、介護者が介護を行っている対象者だけを表示してもよい。図９では、領域Ｆ１１１に５人の対象者を表示しているが、さらに多くの対象者を表示する場合には、領域Ｆ１１１においてスクロールを可能にしてもよい。
【００９４】
画面Ｄ１１において、「部屋番号」は対象者が入居している部屋の番号、「入居者」は対象者の名前、「現在」は画面Ｄ１１の表示時点での対象者の行動、「次の予定」は画面Ｄ１１の表示時点以降に対象者に予定されている行動の開始時刻および内容である。「現在」の項目には、対象者の行動が示される場合（体操、外出など）と、対象者が居る場所が示される場合（居室、食堂など）とがある。たとえば、対象者が自室に居るときには、対象者が居る場所である「居室」が表示される。
【００９５】
領域Ｆ１１２には、対象者がする複数の行動の終了を表す文言が、実施項目として表の形式で列挙されている。領域Ｆ１１２に表示される文言は、複数の行動それぞれについて終了したことを表す文言であり、たとえば「朝食を食べました」のように表現される。図９には領域Ｆ１１２に３つの行動が表示されているが、さらに多くの行動を表示する場合には、領域Ｆ１１２においてスクロールを可能にしてもよい。また、領域Ｆ１１２の下方には、表の形式で表された行動の類型以外の行動について自由に文言を設定するための入力フィールドＦ１１５が設けられている。
【００９６】
領域Ｆ１１３は、左右に異なる情報が表示される。領域Ｆ１１３の左部分には、領域Ｆ１１１で選択されている対象者に関連付けた第２装置１２に表示可能な説明画面Ｄｅと同じ内容が表示される。つまり、第１装置１１から行動完了情報を入力する直前に第２装置１２に表示可能な説明画面Ｄｅの内容が領域Ｆ１１３の左部分に表示される。なお、図９では選択されている状態を太線の枠で示している。また、図１０から図１３においても選択されている状態は太線の枠で示している。
【００９７】
領域Ｆ１１３の右部分には、画面Ｄ１１において入力する行動完了情報の内容が表示される。図９に示す行動完了情報は、領域Ｆ１１１で選択した対象者と、領域Ｆ１１２で選択した行動とに、日時（時刻）を組み合わせた情報である。日時は、サーバ１３が備える時計部１３１が計時する日時と等価な日時であればよく、第１装置１１が内蔵する時計部の時刻が用いられる。また、日時は、サーバ１３の時計部１３１から取得することも可能である。通常、ＮＴＰサーバ（Network Time Protocol server）からサーバ１３が取得した日時が、第１装置１１および第２装置１２が内蔵する時計部に転送される。対象者の行動が終了した時点で、介護者がボタンＢ１１１に触れると、領域Ｆ１１３の右部分に表示された対象者の行動完了情報が記憶部１３２に格納される。
【００９８】
ところで、行動完了情報の説明画面Ｄｅには、行動に関連した写真を表示することが可能である。第１装置１１はタブレット端末を想定しているから、カメラを内蔵しており、写真を撮影することが可能である。画面Ｄ１１の領域Ｆ１１４には、カメラの視野内の画像が表示され、介護者がボタンＢ１１２に触れた時点の画像が静止画像として領域Ｆ１１４に表示される。領域Ｆ１１４に静止画像が表示されている状態でボタンＢ１１３に触れると、その静止画像が行動完了情報に関係付けられる。静止画像を行動完了情報に関連付けた後にボタンＢ１１１に触れた場合、文字および写真が行動完了情報として記憶部１３２に格納される。なお、第１装置１１は、ボタンＢ１１２に触れてから一定時間（たとえば、１０秒）が経過すると、領域Ｆ１１４から静止画像が消え、他の画像を撮影できるように構成されていることが望ましい。
【００９９】
「予定入力」のタブＴ１２が選択されると、図１０のような画面Ｄ１２が第１装置１１に表示される。画面Ｄ１２の上部には、「対象者」の領域Ｆ１２１と「日付」の領域Ｆ１２２と「時間」の領域Ｆ１２３と「予定入力」の領域Ｆ１２４とが設けられる。また、画面Ｄ１２の下部には、行動予定情報の内容を確認するための領域Ｆ１２５が設けられる。さらに、画面Ｄ１２には、主として２つのボタンＢ１２１、Ｂ１２４が配置されている。ボタンＢ１２１には「更新」と表記され、ボタンＢ１２４には「戻る」と表記される。ボタンＢ１２４に触れた場合には、第１装置１１の初期画面に復帰する。
【０１００】
図１０に示す画面Ｄ１２では、領域Ｆ１２１に、介護施設に入居している複数人の対象者それぞれについて、「部屋番号」、「入居者」の項目が表の形式で表示されている。領域Ｆ１２１には、介護施設のすべての入居者を表示することが望ましいが、介護者が介護を行っている対象者だけを表示してもよい。図１０では、領域Ｆ１２１に５人の対象者を表示しているが、さらに多くの対象者を表示する場合には、領域Ｆ１２１においてスクロールを可能にしてもよい。画面Ｄ１２の領域Ｆ１２１に表示される内容は、画面Ｄ１１の領域Ｆ１１１とは項目に相違があるが、同項目については同内容である。
【０１０１】
領域Ｆ１２２には、対象者が予定の行動を行う月日が入力され、領域Ｆ１２３には、対象者が予定の行動を行う時刻が入力される。領域Ｆ１２２と領域Ｆ１２３との表示内容はスクロールが可能であって、領域Ｆ１２２と領域Ｆ１２３とでは、任意の月日および時刻を選択可能である。なお、領域Ｆ１２３は一定時間（図１０の例では５分）刻みの時刻が入力される。なお、第１装置１１は、領域Ｆ１２３において、「時」の欄の数値と「分」の欄の数値とを、個別にスクロールさせることができるように構成されている。
【０１０２】
領域Ｆ１２４には、対象者がする複数の行動の種類が表の形式で列挙されている。領域Ｆ１２４に表示される文言は、複数の行動それぞれの内容を表す文言であり、たとえば「朝ご飯」、「体操」、「お昼ご飯」のように表現される。図１０には領域Ｆ１２４に３つの行動が表示されているが、さらに多くの行動を表示する場合には、領域Ｆ１２４においてスクロールを可能にしてもよい。また、領域Ｆ１２４の下方には、表の形式で表された行動の類型以外の行動について自由に文言を設定するための入力フィールドＦ１２６が設けられている。
【０１０３】
領域Ｆ１２５は、領域Ｆ１２１で選択された対象者について、記憶部１３２に格納されている行動のスケジュールが表示される。領域Ｆ１２５に表示される行動のスケジュールは、該当する行動が終了しているか否かにかかわらず、領域Ｆ１２５に示された期間のすべてについて表示される。領域Ｆ１２５では、縦方向に日にちの項目があり、横方向に時刻の項目がある。時刻の項目は、００時から２３時までの１日の時刻を表す。図１０では１週間分のスケジュールを表示しているが、スケジュールを表示する期間は、１日、１ヶ月、１年から選択可能であることが望ましい。
【０１０４】
領域Ｆ１２２、Ｆ１２３、Ｆ１２４を用いて設定した行動予定情報は、ボタンＢ１２１に触れると記憶部１３２に格納される。すなわち、ボタンＢ１２１に触れることにより、記憶部１３２に格納された行動予定情報が更新される。また、記憶部１３２の行動予定情報が更新されると、領域Ｆ１２５のスケジュールの表示に反映される。
【０１０５】
「大事なこと」のタブＴ１３が選択されると、図１１のような画面Ｄ１３が第１装置１１に表示される。画面Ｄ１３の上部には、「対象者」の領域Ｆ１３１と「年」の領域Ｆ１３２と「日付」の領域Ｆ１３３と「大事なこと入力」の領域Ｆ１３４とが設けられる。また、画面Ｄ１３の下部には、記憶部１３２に登録された「大事なこと」を確認するための領域Ｆ１３５が設けられる。さらに、画面Ｄ１３には、主として３つのボタンＢ１３１、Ｂ１３２、Ｂ１３４が配置されている。ボタンＢ１３１には「更新」と表記され、ボタンＢ１３２には「消去」と表記され、ボタンＢ１３４には「戻る」と表記される。ボタンＢ１３４に触れた場合には、第１装置１１の初期画面に復帰する。
【０１０６】
図１１に示す画面Ｄ１３では、領域Ｆ１３１に、介護施設に入居している複数人の対象者それぞれについて、「部屋番号」、「入居者」の項目が表の形式で表示されている。領域Ｆ１３１には、介護施設のすべての入居者を表示することが望ましいが、介護者が介護を行っている対象者だけを表示してもよい。図１１では、領域Ｆ１３１に５人の対象者を表示しているが、さらに多くの対象者を表示する場合には、領域Ｆ１３１においてスクロールを可能にしてもよい。画面Ｄ１３の領域Ｆ１３１に表示される内容は、画面Ｄ１１の領域Ｆ１１１とは項目に相違があるが、同項目については同内容である。
【０１０７】
領域Ｆ１３２、Ｆ１３３では、対象者にとって「大事なこと」を行う年月日が選択される。また、領域Ｆ１３４では、対象者にとって「大事なこと」の内容が選択される。領域Ｆ１３２、Ｆ１３３、Ｆ１３４の表示内容はスクロールが可能である。対象者にとっての「大事なこと」は、家族の訪問、友人の訪問、買い物などの予定のほか、家族構成、自宅の住所などを含む場合がある。記憶部１３２には、「大事なこと」は１人の対象者について、たとえば最大３つまで登録可能である。もちろん、「大事なこと」を３つ以上登録可能にしてもよいが、「大事なこと」は、第２装置１２において１画面に表示できる量であることが望ましい。図１１には領域Ｆ１３４に３つの内容が表示されているが、さらに多くの内容を表示する場合には、領域Ｆ１３４においてスクロールを可能にしてもよい。また、領域Ｆ１３２、Ｆ１３３、Ｆ１３４の下方には、「大事なこと」について自由に文言を設定するための入力フィールドＦ１３６が設けられている。
【０１０８】
領域Ｆ１３５は、領域Ｆ１３１で選択された対象者について、記憶部１３２に格納した「大事なこと」が表示される。領域Ｆ１３５には、「大事なこと」の内容を最大３つまで同時に表示することができる。「大事なこと」の内容には、上述したように、年月日に関係する情報と、年月日とは関係のない情報とがある。年月日に関係する情報は、「いつ」の欄に年月日が入力され、年月日に関係のない情報は、「いつ」の欄に「期限なし」と表記される。
【０１０９】
領域Ｆ１３２、Ｆ１３３、Ｆ１３４を用いて設定した「大事なこと」は、ボタンＢ１３１に触れると記憶部１３２に格納される。すなわち、ボタンＢ１３１に触れることにより、記憶部１３２に格納された「大事なこと」が更新される。記憶部１３２に記憶した「大事なこと」が更新されると、領域Ｆ１３５の表示に反映される。また、領域Ｆ１３５の中で該当する欄（四角で囲んだフィールド）に触れると、該当する欄が選択される。領域Ｆ１３５に表示された「大事なこと」のうち、不要な内容があれば、欄が選択されている状態でボタンＢ１３２に触れると、該当する内容が記憶部１３２から消去される。
【０１１０】
「関係する人」のタブＴ１４が選択されると、図１２のような画面Ｄ１４が第１装置１１に表示される。画面Ｄ１４の上部には、「対象者」の領域Ｆ１４１と「関係」の領域Ｆ１４２とが設けられる。領域Ｆ１４２の下方には、領域Ｆ１４１で選択された対象者に「関係する人」の名前および領域Ｆ１４２で選択された関係の詳細を入力するための入力フィールドＦ１４５が設けられる。また、画面Ｄ１４の下部には、記憶部１３２に登録された「関係する人」の写真を確認するための領域Ｆ１４３と、記憶部１３２に格納する写真が表示される領域Ｆ１４４とが設けられる。さらに、画面Ｄ１４には、主として４つのボタンＢ１４１、Ｂ１４２、Ｂ１４３、Ｂ１４４が配置されている。ボタンＢ１４１には「更新」と表記され、ボタンＢ１４２には「撮影」と表記され、ボタンＢ１４３には「読込」と表記され、ボタンＢ１４４には「戻る」と表記される。ボタンＢ１４４に触れた場合には、第１装置１１の初期画面に復帰する。
【０１１１】
図１２に示す画面Ｄ１４では、領域Ｆ１４１に、介護施設に入居している複数人の対象者それぞれについて、「部屋番号」、「入居者」、「現在」、「次の予定」の項目が表の形式で表示されている。領域Ｆ１４１に表示される内容は、画面Ｄ１１と同様である。領域Ｆ１４２では、画面Ｄ１４を用いて登録される人と対象者との関係が選択される。図１２に示す画面Ｄ１４の例では、「施設のスタッフ」、「ご家族」、「ご友人」という関係が示されている。領域Ｆ１４１で対象者が選択され領域Ｆ１４２で関係が選択されると、「関係する人」の名前および対象者との関係が入力フィールドＦ１４５に入力される。対象者との関係は、一般的には、家族内の関係であって、配偶者、息子、娘、孫などを意味する。
【０１１２】
領域Ｆ１４３は、領域Ｆ１４２で指定された「関係する人」について、記憶部１３２に格納した写真が表示される。画面Ｄ１４の領域Ｆ１４４には、カメラが捉えている画像が表示され、介護者がボタンＢ１４２に触れた時点の画像が静止画像として領域Ｆ１４４に表示される。領域Ｆ１４４に静止画像が表示されている状態でボタンＢ１４３に触れると、その静止画像が「関係する人」の情報に関係付けられる。静止画像を「関係する人」の情報に関連付けた後にボタンＢ１４１に触れた場合、文字および写真が「関係する人」の情報として記憶部１３２に格納される。なお、第１装置１１は、ボタンＢ１４２に触れてから一定時間（たとえば、１０秒）が経過すると、領域Ｆ１４４から静止画像が消え、他の画像を撮影できるように構成されていることが望ましい。写真を取り込む手順は、図９に示した画面Ｄ１１と同様である。
【０１１３】
「各種設定」のタブＴ１５が選択されると、図１３のような画面Ｄ１５が第１装置１１に表示される。画面Ｄ１５の上部には、「対象者」の領域Ｆ１５１が設けられる。また、画面Ｄ１５の下部には、第２装置１２に表示される初期画面Ｄｓおよび操作画面Ｄｏを確認するための領域Ｆ１５２、Ｆ１５３が設けられる。さらに、画面Ｄ１５の下部には、操作画面Ｄｏにおいて、対象者が「ここはどこ？」のボタンＢ４に触れたときに説明画面Ｄｅに表示するメッセージを入力する入力フィールドＦ１５４が設けられる。画面Ｄ１５には、主として４つのボタンＢ１５１、Ｂ１５２、Ｂ１５３、Ｂ１５４が配置されている。ボタンＢ１５１には「更新」と表記され、ボタンＢ１５２には「撮影」と表記され、ボタンＢ１５３には「読込」と表記され、ボタンＢ１５４には「戻る」と表記される。ボタンＢ１５４に触れた場合には、第１装置１１の初期画面に復帰する。
【０１１４】
図１３に示す画面Ｄ１５では、領域Ｆ１５１に、介護施設に入居している複数人の対象者それぞれについて、「部屋番号」、「入居者」、「自立度」、「記憶」、「見当識」、「判断」、「表示」、「ここはどこメッセージ」の項目が表の形式で表示される。領域Ｆ１５１に表示される項目のうち「部屋番号」と「入居者」の内容は、画面Ｄ１１と同様である。「自立度」、「記憶」、「見当識」、「判断」は対象者の認知機能の計測結果に基づくレベルであり、「表示」は、対象者の認知機能を判断した結果の表示の内容を表す情報である。つまり、「記憶」は記憶力のレベル、「判断」は判断力のレベルである。
【０１１５】
対象者の認知機能は、ＭＭＳＥ（Mini Mental State Examination）のような、認知機能のレベルを評価するテストにより計測することが可能である。この場合、テストの結果を介護者が記憶部１３２に登録する。とくに、「自立度」は、通常は専門家の判断によって決定される。
【０１１６】
「記憶」、「見当識」は、対象者が操作画面Ｄｏで触れたボタンの種類、それぞれのボタンに触れた頻度などの履歴に基づいて判断部１３４が自動的に判断してもよい。ここにおいて、判断部１３４は、対象者の認知機能を判断する情報について履歴として記憶する機能を有している。たとえば、対象者が「ここはどこ？」と表記されたボタンＢ４に触れた頻度について基準値を複数段階に定め、場所に関する見当識のレベルと基準値の段階とを対応付けておくことにより、場所に関する見当識のレベルを判断部１３４が判断可能になる。ここに、頻度は、単位期間（たとえば、１日など）当たりの回数である。「記憶」についても同様であり、判断部１３４は、長期記憶に関係するボタンＢ１、短期記憶に関係するボタンＢ２、展望記憶に関係するボタンＢ３などに対象者が触れた頻度に基づいて記憶のレベルを判断することが可能である。
【０１１７】
「自立度」、「記憶」、「見当識」、「判断」のレベルが決まると、判断部１３４は、対象者の認知機能を定めることが可能である。「自立度」、「記憶」、「見当識」、「判断」のレベルを変数にした対象者の認知機能のレベルは、経験則によって定めることが可能である。したがって、判断部１３４は経験則に基づいて「表示」の内容を定める。
【０１１８】
「ここはどこメッセージ」には、操作画面Ｄｏにおいて「ここはどこ？」のボタンＢ４に触れたときに、第２装置１２の説明画面Ｄｅに返すメッセージが登録されている。つまり、このメッセージは、対象者が該当する場所に居る理由の説明情報に相当する。領域Ｆ１５１に表示するメッセージは入力フィールドＦ１５４で編集することが可能である。つまり、領域Ｆ１５１で選択した対象者に示すメッセージは、入力フィールドＦ１５４で編集することが可能である。
【０１１９】
入力フィールドＦ１５４で編集したメッセージは、ボタンＢ１５１に触れると記憶部１３２に格納される。すなわち、ボタンＢ１５１に触れることにより、記憶部１３２に格納されたメッセージが更新される。記憶部１３２に記憶したメッセージが更新されると、領域Ｆ１５１の表示に反映される。
【０１２０】
なお、上述した実施形態において、行動完了情報、行動予定情報などを第１装置１１で入力しているが、介護者が認めた場合にかぎり、対象者が第２装置１２を操作して行動完了情報、行動予定情報などを入力できるようにしてもよい。
【０１２１】
以上説明したように本実施形態の認知機能支援システム１０は、第１装置１１と第２装置１２とを備える。第１装置１１は、認知機能の支援対象である対象者について、予定した行動の種類および日時を含む複数の行動予定情報を受け取る第１入力部１１１を備える。第２装置１２は、第１装置１１とは別に設けられ対象者に関係付けてあり、複数の行動予定情報のうち選択された行動予定情報が通知される。第２装置１２は、複数の行動予定情報のうち特定の行動予定情報について通知の要求を行う第２入力部１２１と、第２入力部１２１からの要求に応答して通知された特定の行動予定情報が提示される提示部１２２とを備える。
【０１２２】
この構成によれば、対象者が第２装置１２の第２入力部１２１から行動予定情報を要求したときにだけ行動予定情報が第２装置１２の提示部１２２に提示される。したがって、対象者が予定された行動を忘れているときに、第２入力部１２１を用いて特定の行動予定情報を確認することが可能になり、対象者にとっては展望記憶の低下に対する不安感が緩和される。また、対象者が予定された行動を覚えているときには、行動予定情報を確認しなくてもよく、対象者にとっては行動予定情報の通知が強制される煩わしさがない。また、介護者にとっては、対象者からの問い合わせに応える頻度が低減され、介護者の負担が軽減されることも期待できる。
【０１２３】
認知機能支援システム１０は、時計部１３１と記憶部１３２と選択部１３３とを備えていることが望ましい。時計部１３１は、日時を計時する。記憶部１３２は、第１入力部１１１が受け取った複数の行動予定情報を記憶する。選択部１３３は、記憶部１３２が記憶している複数の行動予定情報のうち、第２入力部１２１からの要求に対して特定の行動予定情報を選択する。ここで、特定の行動予定情報は、第２入力部１２１からの要求があった日時の後、かつ最初の行動予定情報である。
【０１２４】
この構成によれば、対象者が第２入力部１２１から要求した後の最初の行動予定情報が提示部１２２に提示されるから、対象者は、直近に予定されている行動を確認することができる。
【０１２５】
認知機能支援システム１０において、第１入力部１１１は、複数の行動予定情報に含まれる行動を対象者が終了するたびに行動完了情報を受け取る機能を有していることが望ましい。また、記憶部１３２は、第１入力部１１１が受け取った行動完了情報を記憶する機能を有し、第２入力部１２１は、特定の行動完了情報について通知の要求を行う機能を有していることが望ましい。この場合、選択部１３３は、第２入力部１２１の要求に応答して特定の行動完了情報を記憶部１３２が記憶している行動完了情報から選択する機能を有する。また、提示部１２２は、第２入力部１２１からの要求に応答して通知された特定の行動完了情報が提示される機能を有する。特定の行動完了情報は、第２入力部１２１からの要求があった日時の前、かつ最新の行動完了情報である。
【０１２６】
この構成によれば、対象者が第２装置１２の第２入力部１２１から行動完了情報を要求したときにだけ行動完了情報が第２装置１２の提示部１２２に提示される。したがって、対象者が直前に行った行動を忘れているときに、第２入力部１２１を用いて特定の行動完了情報を確認することが可能になり、対象者にとっては短期記憶の低下に対する不安感が緩和される。また、対象者が直前の行動を覚えているときには、行動完了情報を確認しなくてもよく、対象者にとっては行動完了情報の通知が強制される煩わしさがない。また、介護者にとっては、対象者からの問い合わせに応える頻度が低減され、介護者の負担が軽減されることも期待できる。
【０１２７】
認知機能支援システム１０は、第２装置１２が存在する場所を認識する位置認識部１２３を備えていることが望ましい。この場合、第２入力部１２１は、位置認識部１２３が認識している場所について提示の要求を行う機能を有し、提示部１２２は、第２入力部１２１から要求があった場所を提示する機能を有する。
【０１２８】
この構成によれば、対象者が場所を忘れた場合に、第２入力部１２１を用いて要求すれば提示部１２２に場所が提示されるから、場所に関する見当識が低下している対象者にとって不安感が緩和される。介護者にとっては対象者から問い合わせに応える頻度が低減され、介護者の負担の軽減につながる。
【０１２９】
第２入力部１２１は、対象者が場所に居る理由の説明情報について要求を行う機能を有しており、提示部１２２は、第２入力部１２１から要求があった説明情報を提示する機能を有していることが望ましい。
【０１３０】
この構成によれば、単に場所が提示されるだけではなく、対象者がその場所に居る理由などの説明情報が得られるから、対象者の不安感が軽減される。
【０１３１】
認知機能支援システム１０は、第２入力部１２１からの要求の履歴に基づいて対象者の認知機能の状態を判断する判断部１３４を備えることが望ましい。
【０１３２】
この構成によれば、対象者が第２入力部１２１から要求を行った履歴を用いることにより、対象者の認知機能を判断することが可能になる。また、認知機能の判断結果に基づいて第２入力部１２１から要求可能な情報を変更することが可能である。
【０１３３】
本実施形態における認知機能支援装置（サーバ１３）は、第１装置１１および第２装置１２との間で通信する。第１装置１１は、認知機能の支援対象である対象者について、予定した行動の種類および日時を含む複数の行動予定情報を受け取る第１入力部１１１を備える。第２装置１２は、第１装置１１とは別に設けられ対象者に関係付けてあり、複数の行動予定情報のうち選択された行動予定情報が通知される。第２装置１２は、複数の行動予定情報のうちの特定の行動予定情報を要求する第２入力部１２１と、第２入力部１２１からの要求に応答して通知された特定の行動予定情報が提示される提示部１２２とを備えている。認知機能支援装置（サーバ１３）は、時計部１３１と記憶部１３２と選択部１３３とを備えていることが望ましい。時計部１３１は、日時を計時する。記憶部１３２は、第１入力部１１１が受け取った複数の行動予定情報を記憶する。選択部１３３は、記憶部１３２が記憶している複数の行動予定情報のうち、第２入力部１２１からの要求に対して特定の行動予定情報を選択する。ここで、特定の行動予定情報は、第２入力部１２１からの要求があった日時の後、かつ最初の行動予定情報である。
【０１３４】
この構成によれば、対象者が第２入力部１２１から要求した後の最初の行動予定情報が提示部１２２に提示されるから、対象者は、直近に予定されている行動を確認することができる。
【０１３５】
本実施形態のプログラムは、コンピュータを、認知機能支援装置（サーバ１３）として機能させるためのものである。
【０１３６】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【０１３７】
１０  認知機能支援システム
１１  第１装置
１２  第２装置
１３  サーバ（認知機能支援装置）
１１１  第１入力部
１２１  第２入力部
１２２  提示部
１２３  位置認識部
１３１  時計部
１３２  記憶部
１３３  選択部
１３４  判断部
【図１】
0006655811.tif 000002
【図２】
0006655811.tif 000003
【図３】
0006655811.tif 000004
【図４】
0006655811.tif 000005
【図５】
0006655811.tif 000006
【図６】
0006655811.tif 000007
【図７】
0006655811.tif 000008
【図８】
0006655811.tif 000009
【図９】
0006655811.tif 000010
【図１０】
0006655811.tif 000011
【図１１】
0006655811.tif 000012
【図１２】
0006655811.tif 000013
【図１３】
0006655811.tif 000014